(57)【要約】【課題】  熟練者による技量発揮の余地を増大するとともに、リール停止時に表示される図柄の組合せパターンの種類を増大することで、遊技に対する興趣を増す。【解決手段】  停止制御手段１２５は、抽選手段１１０の乱数抽選の結果に基づき停止テーブル１３０を選択してリールの停止制御を行う。左・中・右リール用停止テーブル１３１，１３２，１３３は、各コマを３個に分割した分割領域ごとに滑りコマ数を設定しており、停止制御手段１２５は、ストップスイッチの停止操作時に基準位置に位置する分割領域に対して設定された滑りコマ数だけ進めて各リールを停止させる。【選択図】  図５
2006141713.tif 000002
【特許請求の範囲】
【請求項１】
それぞれ周面をほぼ均等角度で回転方向に複数に分割した表示領域からなるコマが形成され、各コマごとに図柄が表示された複数のリールと、
各リールの回転開始後に各リールに対する停止操作が行われると、停止操作時に予め定められた基準位置に位置するコマを判別し、該コマの図柄に対応して予め設定された滑りコマ数だけ回転させた後にリールを停止させるリール停止制御を行う制御手段と
を備えたスロットマシンにおいて、
前記各リールのうち少なくとも１つを特定リールとしたとき、
前記滑りコマ数は、前記特定リールについて、各コマをほぼ均等角度で回転方向に複数に分割して形成される分割領域に対してそれぞれ設定されることにより、各コマごとに複数ずつ設定されており、
前記制御手段は、前記特定リールに対する停止操作が行われると、停止操作時に前記基準位置に位置する分割領域を判別し、該判別した分割領域を含むコマから該判別した分割領域に対して設定された滑りコマ数だけ回転させた後に前記特定リールを停止させるリール停止制御を行う
ことを特徴とするスロットマシン。
【請求項２】
前記各リールをそれぞれ回転させるステッピングモータを備え、
前記制御手段が、前記ステッピングモータに駆動パルス信号を供給するもので、該供給する駆動パルス信号に基づき、停止操作時に前記基準位置に位置するコマおよび分割領域の判別を行う
ことを特徴とする請求項１に記載のスロットマシン。
【請求項３】
前記制御手段が、
前記各リールの回転角度をそれぞれ検出する角度検出部と、
前記角度検出部により検出されたリールの回転角度に基づき停止操作時における前記基準位置に位置するコマおよび分割領域を判別する基準判別部と
を備えていることを特徴とする請求項１に記載のスロットマシン。
【請求項４】
前記各リールが左右に並んで配設され、
前記停止操作を行うための複数のストップスイッチが前記各リールに対応して左右に並んで配設され、
前記特定リールは、左端に配設されたリールである
ことを特徴とする請求項１ないし３のいずれかに記載のスロットマシン。
【請求項５】
前記分割領域は、コマを２ないし５のいずれかの数に分割して形成していることを特徴とする請求項１ないし４のいずれかに記載のスロットマシン。
【請求項６】
入賞役を決定するための乱数抽選を前記各リールに対する停止操作までに行う抽選手段をさらに備え、
前記制御手段は、乱数抽選が行われた後のリール停止制御では、停止操作時のリール回転位置と停止操作後のリール停止位置との関係に確率的要素がないようなリール停止制御を行う
ことを特徴とする請求項１ないし５のいずれかに記載のスロットマシン。
【請求項７】
入賞役を決定するための乱数抽選を前記各リールに対する停止操作までに行う抽選手段をさらに備え、
前記制御手段は、乱数抽選が行われた後のリール停止制御では、乱数抽選の結果がハズレだった場合を除いて停止操作時のリール回転位置と停止操作後のリール停止位置との関係に確率的要素がないようなリール停止制御を行う
ことを特徴とする請求項１ないし５のいずれかにスロットマシン。
【請求項８】
それぞれ周面をほぼ均等角度で回転方向に複数に分割した表示領域からなるコマが形成され、各コマごとに図柄が表示された複数のリールと、
各リールの回転開始後に各リールに対する停止操作が行われると、停止操作時に予め定められた基準位置に位置するコマを判別し、該コマの図柄に対応して予め設定された滑りコマ数だけ回転させた後にリールを停止させるリール停止制御を行う手段と
を備えたスロットマシンのコンピュータを、
前記各リールのうち少なくとも１つを特定リールとしたとき、
前記特定リールについて、各コマをほぼ均等角度で回転方向に複数に分割して形成される分割領域に対してそれぞれ設定されることにより、各コマごとに複数ずつ設定された滑りコマ数を記憶する手段と、
前記特定リールに対する停止操作が行われると、停止操作時に前記基準位置に位置する分割領域を判別し、該判別した分割領域を含むコマから該判別した分割領域に対して設定された滑りコマ数だけ回転させた後に前記特定リールを停止させるリール停止制御を行う手段と
して機能させるためのスロットマシン用プログラム。
【請求項９】
それぞれ周面をほぼ均等角度で回転方向に複数に分割した表示領域からなるコマが形成され、各コマごとに図柄が表示された複数のリールと、
各リールの回転開始後に各リールに対する停止操作が行われると、停止操作時に予め定められた基準位置に位置するコマを判別し、該コマの図柄に対応して予め設定された滑りコマ数だけ回転させた後にリールを停止させるリール停止制御を行う手段と
を備えたスロットマシンのコンピュータを、
前記各リールのうち少なくとも１つを特定リールとしたとき、
前記特定リールについて、各コマをほぼ均等角度で回転方向に複数に分割して形成される分割領域に対してそれぞれ設定されることにより、各コマごとに複数ずつ設定された滑りコマ数を記憶する手段と、
前記特定リールに対する停止操作が行われると、停止操作時に前記基準位置に位置する分割領域を判別し、該判別した分割領域を含むコマから該判別した分割領域に対して設定された滑りコマ数だけ回転させた後に前記特定リールを停止させるリール停止制御を行う手段と
して機能させるためのスロットマシン用プログラムを記録したコンピュータ読み取り可能な記録媒体。
【発明の詳細な説明】
【技術分野】
【０００１】
本発明は、スロットマシンに設けられるリールの回転を停止させる停止制御技術に関するものである。
【背景技術】
【０００２】
従来、複数コマの図柄が表示された例えば３個の左・中・右リールを備え、スタートスイッチが操作されると、３個すべてのリールの回転を開始させるとともに入賞役を決定するための乱数抽選を行い、各リールに対応して設けられた左・中・右ストップスイッチのいずれかに対して停止操作が行われると、そのストップスイッチに対応するリールを乱数抽選の結果に基づき停止制御し、３個すべてのリールが停止したときに、所定の図柄が予め定められた有効ライン上に揃うと入賞と判定して、遊技者に対して所定の利益を付与するように構成したスロットマシンが知られている（例えば特許文献１参照）。この特許文献１に記載のスロットマシンでは、各図柄に対応して進みコマ数（本発明の「滑りコマ数」に相当）が設定された停止テーブルを記憶しており、停止操作時にリールの中段に見える図柄に対応する進みコマ数だけリールを進ませて停止させるようにしている。
【０００３】
【特許文献１】特許第２６２７６０４号公報（［００２４］、図４）
【発明の開示】
【発明が解決しようとする課題】
【０００４】
ところが、上記特許文献１に記載のスロットマシンでは、各図柄に対応して進みコマ数が１個設定されているだけであるため、リール停止時に表示される図柄の組合せのバラエティ度が限られるとともに、回転するリール上の図柄を見極めて停止操作のタイミングを計る技量に優れた遊技者にとっては技量を発揮する余地が少ないことから、興趣に欠けるものとなっていた。このことは、停止テーブルに代えてプログラムを用いてリールの停止制御を行う方式のスロットマシンにおいても同様である。
【０００５】
本発明は、上記課題に鑑みてなされたもので、熟練者による技量発揮の余地を増大するとともに、リール停止時に表示される図柄の組合せパターンの種類を増大することで、遊技に対する興趣を増すことが可能なスロットマシン、スロットマシン用プログラムおよびスロットマシン用プログラムを記録したコンピュータ読み取り可能な記録媒体を提供することを目的とする。
【課題を解決するための手段】
【０００６】
上記目的を達成するために、本発明に係るスロットマシンは、それぞれ周面をほぼ均等角度で回転方向に複数に分割した表示領域からなるコマが形成され、各コマごとに図柄が表示された複数のリールと、各リールの回転開始後に各リールに対する停止操作が行われると、停止操作時に予め定められた基準位置に位置するコマを判別し、該コマの図柄に対応して予め設定された滑りコマ数だけ回転させた後にリールを停止させるリール停止制御を行う制御手段とを備えたスロットマシンにおいて、前記各リールのうち少なくとも１つを特定リールとしたとき、前記滑りコマ数は、前記特定リールについて、各コマをほぼ均等角度で回転方向に複数に分割して形成される分割領域に対してそれぞれ設定されることにより、各コマごとに複数ずつ設定されており、前記制御手段は、前記特定リールに対する停止操作が行われると、停止操作時に前記基準位置に位置する分割領域を判別し、該判別した分割領域を含むコマから該判別した分割領域に対して設定された滑りコマ数だけ回転させた後に前記特定リールを停止させるリール停止制御を行うことを特徴としている（請求項１）。
【０００７】
また、前記各リールをそれぞれ回転させるステッピングモータを備え、前記制御手段が、前記ステッピングモータに駆動パルス信号を供給するもので、該供給する駆動パルス信号に基づき、停止操作時に前記基準位置に位置するコマおよび分割領域の判別を行うとしてもよい（請求項２）。
【０００８】
また、前記制御手段が、前記各リールの回転角度をそれぞれ検出する角度検出部と、前記角度検出部により検出されたリールの回転角度に基づき停止操作時における前記基準位置に位置するコマおよび分割領域を判別する基準判別部とを備えているとしてもよい（請求項３）。
【０００９】
また、前記各リールが左右に並んで配設され、前記停止操作を行うための複数のストップスイッチが前記各リールに対応して左右に並んで配設され、前記特定リールは、左端に配設されたリールであるとしてもよい（請求項４）。
【００１０】
また、前記分割領域は、コマを２ないし５のいずれかの数に分割して形成しているとしてもよい（請求項５）。
【００１１】
また、入賞役を決定するための乱数抽選を前記各リールに対する停止操作までに行う抽選手段をさらに備え、前記制御手段は、乱数抽選が行われた後のリール停止制御では、停止操作時のリール回転位置と停止操作後のリール停止位置との関係に確率的要素がないようなリール停止制御を行うとしてもよい（請求項６）。
【００１２】
また、入賞役を決定するための乱数抽選を前記各リールに対する停止操作までに行う抽選手段をさらに備え、前記制御手段は、乱数抽選が行われた後のリール停止制御では、乱数抽選の結果がハズレだった場合を除いて停止操作時のリール回転位置と停止操作後のリール停止位置との関係に確率的要素がないようなリール停止制御を行うとしてもよい（請求項７）。
【００１３】
また、上記目的を達成するために、本発明に係るスロットマシン用プログラムは、それぞれ周面をほぼ均等角度で回転方向に複数に分割した表示領域からなるコマが形成され、各コマごとに図柄が表示された複数のリールと、各リールの回転開始後に各リールに対する停止操作が行われると、停止操作時に予め定められた基準位置に位置するコマを判別し、該コマの図柄に対応して予め設定された滑りコマ数だけ回転させた後にリールを停止させるリール停止制御を行う手段とを備えたスロットマシンのコンピュータを、前記各リールのうち少なくとも１つを特定リールとしたとき、前記特定リールについて、各コマをほぼ均等角度で回転方向に複数に分割して形成される分割領域に対してそれぞれ設定されることにより、各コマごとに複数ずつ設定された滑りコマ数を記憶する手段と、前記特定リールに対する停止操作が行われると、停止操作時に前記基準位置に位置する分割領域を判別し、該判別した分割領域を含むコマから該判別した分割領域に対して設定された滑りコマ数だけ回転させた後に前記特定リールを停止させるリール停止制御を行う手段として機能させることを特徴としている（請求項８）。
【００１４】
また、上記目的を達成するために、本発明に係るスロットマシン用プログラムを記録したコンピュータ読み取り可能な記録媒体は、それぞれ周面をほぼ均等角度で回転方向に複数に分割した表示領域からなるコマが形成され、各コマごとに図柄が表示された複数のリールと、各リールの回転開始後に各リールに対する停止操作が行われると、停止操作時に予め定められた基準位置に位置するコマを判別し、該コマの図柄に対応して予め設定された滑りコマ数だけ回転させた後にリールを停止させるリール停止制御を行う手段とを備えたスロットマシンのコンピュータを、前記各リールのうち少なくとも１つを特定リールとしたとき、前記特定リールについて、各コマをほぼ均等角度で回転方向に複数に分割して形成される分割領域に対してそれぞれ設定されることにより、各コマごとに複数ずつ設定された滑りコマ数を記憶する手段と、前記特定リールに対する停止操作が行われると、停止操作時に前記基準位置に位置する分割領域を判別し、該判別した分割領域を含むコマから該判別した分割領域に対して設定された滑りコマ数だけ回転させた後に前記特定リールを停止させるリール停止制御を行う手段として機能させることを特徴としている（請求項９）。
【発明の効果】
【００１５】
請求項１，８，９の発明によれば、特定リールについて、各コマをほぼ均等角度で回転方向に複数に分割して形成される分割領域に対してそれぞれ滑りコマ数を設定することにより各コマごとに複数ずつ滑りコマ数を設定し、停止操作時に基準位置に位置する分割領域に対して設定された滑りコマ数だけ回転させた後に特定リールが停止するため、特に停止操作のタイミングを計る技量に長けた熟練者にとって、所望の分割領域が基準位置に位置したときに停止操作を行うことができ、技術介入度が向上して技量発揮の余地を増大することができる。また、例えば各分割領域に対して互いに異なる値の滑りコマ数を設定することにより、全リール停止時に表示される図柄の組合せパターンの種類を増大することが可能になる。これによって、遊技に対する興趣を増すことが可能になる。
【００１６】
また、請求項２の発明によれば、ステッピングモータに供給する駆動パルス信号に基づき、停止操作時に基準位置に位置するコマおよび分割領域の判別を行うため、簡易な構成で正確に判別を行うことができる。
【００１７】
また、請求項３の発明によれば、角度検出部により検出されたリールの回転角度に基づき停止操作時における基準位置に位置するコマおよび分割領域を判別するため、容易かつ正確に判別を行うことができる。
【００１８】
また、請求項４の発明によれば、特定リールは左端に配設されたリールであるが、一般に、遊技者は左端のストップスイッチを最初に操作して特定リールが最初に停止されることが多いことから、特定リールが２番目以降に停止する場合に比べて全リールの停止時に表示される図柄の組合せのパターンの種類を増大することができる。
【００１９】
また、請求項５の発明によれば、分割領域は、コマを２ないし５のいずれかの数に分割して形成しているため、例えば、特定リールの定常回転速度が毎分８０回転未満であってリールの直径が約２１７ｍｍ程度でありリールの一周に２１個のコマが形成されている場合には、周速とコマサイズ（図柄間隔）との関係から、技量に優れた熟練者であれば個々の分割領域を互いに識別することができることから、熟練者の遊技に対する興趣を増すことが可能になる。
【００２０】
また、請求項６の発明によれば、乱数抽選が行われた後のリール停止制御では、停止操作時のリール回転位置と停止操作後のリール停止位置との関係に確率的要素がないようなリール停止制御が行われるため、適正なタイミングで停止操作を行えば、乱数抽選の結果に対応する停止位置にリールを確実に停止させることができる。したがって、確率的要素があるようなリール停止制御を行うと乱数抽選の結果と異なる停止位置に停止するような不自然な事態が生じることがあるが、このような事態を未然に防止することができ、遊技の公正を確保することができる。この場合、確率的要素がないため、確率的要素がある場合に比べて全リール停止時の図柄の組合せパターンの種類が減少することもあり得るが、特定リールの各コマに対してそれぞれ複数ずつ滑りコマ数が設定されているため、組合せパターンの種類の減少を抑制することができるという利点がある。
【００２１】
また、請求項７の発明によれば、乱数抽選が行われた後のリール停止制御では、乱数抽選の結果がハズレだった場合を除いて停止操作時のリール回転位置と停止操作後のリール停止位置との関係に確率的要素がないようなリール停止制御が行われるため、適正なタイミングで停止操作を行えば、乱数抽選の結果に対応する停止位置にリールを確実に停止させることができる。したがって、確率的要素があるようなリール停止制御を行うと乱数抽選の結果と異なる停止位置に停止するような不自然な事態が生じることがあるが、このような事態を未然に防止することができ、遊技の公正を確保することができる。この場合、確率的要素がないため、確率的要素がある場合に比べて全リール停止時の図柄の組合せパターンの種類が減少することもあり得るが、特定リールの各コマに対してそれぞれ複数ずつ滑りコマ数が設定されているため、組合せパターンの種類の減少を抑制することができるという利点がある。なお、乱数抽選の結果がハズレだった場合には元々遊技者に対する利益（例えばメダル払い出しなど）の付与がないため、乱数抽選の結果がハズレだった場合に停止操作時のリール回転位置と停止操作後のリール停止位置との関係に確率的要素が存在しても、遊技の公正確保には何ら問題がない。
【発明を実施するための最良の形態】
【００２２】
この発明の実施形態について以下に説明する。なお、本実施形態は有効ライン（後述）を５本とした場合の例である。図１は本発明に係るスロットマシンの一実施形態の外観を示す斜視図、図２はリールの図柄配列の一例を示す図、図３はリールの図柄に対応するコマ番号の配列と回転方向を示す図である。この実施形態におけるスロットマシン１は、例えば図１に示すように構成されている。即ち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００２３】
そして、この正面板９には横長矩形の表示枠１１が設けられている。また、表示枠１１の内側には左・中・右リール１３Ｌ，１３Ｍ，１３Ｒ（図４参照）が配置されている。左・中・右リール１３Ｌ，１３Ｍ，１３Ｒは、それぞれ周面をほぼ均等角度で回転方向に複数（この実施形態では例えば２１個）に分割した表示領域からなるコマが形成され、各コマごとに、例えば「７」、「クロス」、「ＢＡＲ」、「スイカ」、「ベル」、「チェリー」、「Replay」の複数種類（この実施形態では例えば７種類）の図柄が表示されている。なお、図２では「ベル」のみを示しており、それ以外の図示を省略している。また、各コマの図柄には「０」から「２０」までのコマ番号が順に付されている。そして、例えば図３に示すように、コマ番号「０」から「２０」までの図柄が印刷されたリールテープ１４Ｌがリールの周面に貼り付けられて左リール１３Ｌが構成される。そして、左リール１３Ｌが図３中の矢印方向に回転すると、コマ番号「２０」、「１９」、…、「０」、「２０」、…の順に図柄が表示枠１１に表示される。表示枠１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示されるようになっている。なお、中・右リール１３Ｍ，１３Ｒも、それぞれ図３の左リール１３Ｌと同様に構成されている。
【００２４】
更に、操作板７には、内部に貯留されているクレジットメダルから１枚ずつのメダル投入を指示するためのベットスイッチ１５、クレジットメダルから一遊技あたりの最大投入枚数（例えば３枚）のメダル投入を指示するための最大ベットスイッチ１７、各リールの回転を開始させるためのレバー状のスタートスイッチ１９、左・中・右リール１３Ｌ，１３Ｍ，１３Ｒの回転をそれぞれ停止させるための左・中・右ストップスイッチ２１Ｌ，２１Ｍ，２１Ｒ、クレジットメダルを払い出すための精算スイッチ２３、およびメダル投入口２５が設けられている。
【００２５】
また、正面板９の上方のほぼ中央には、動画などを表示して演出を行うための液晶表示器２７が設けられ、液晶表示器２７のすぐ上方には、各種の入賞図柄が表示された説明パネル２９が設けられ、これら液晶表示器２７および説明パネル２９の左右には、音楽などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２６】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルの払出口３９や、この払出口３９から払い出されるメダルを受けるメダル受け４１が設けられている。また、筐体３の内部のリール１３Ｌ，１３Ｍ，１３Ｒの下方には、メダルを払出口３９に排出するためのホッパーユニット４３（図４参照）が配設されている。
【００２７】
図４はスロットマシン１の電気的構成を示すブロック図、図５はメイン制御基板６３の機能を示す機能ブロック図、図６は乱数抽選の結果を説明する図である。図４において、投入センサ５１は、筐体３内部のメダル投入口２５近傍に設けられ、投入されたメダルを１枚ずつ検知するものである。払出センサ５３は、ホッパーユニット４３の出口に設けられ、払出口３９に払い出されるメダルを１枚ずつ検知するものである。左・中・右位置センサ５５Ｌ，５５Ｍ，５５Ｒは、左・中・右リール１３Ｌ，１３Ｍ，１３Ｒの回転位置をそれぞれ検出するためのもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると一周ごとに突起部を検出してその検出信号をメイン制御基板６３に出力する。この実施形態では例えば、左・中・右位置センサ５５Ｌ，５５Ｍ，５５Ｒが上記突起部を検出したときに、それぞれコマ番号「２０」の図柄が表示枠１１の中段に位置するように構成されている。モータ５７Ｌ，５７Ｍ，５７Ｒは、リール１３Ｌ，１３Ｍ，１３Ｒをそれぞれ回転駆動するもので、この実施形態では例えばステッピングモータが用いられる。
【００２８】
また、このスロットマシン１では、遊技に関する制御を行うメインＣＰＵ６１が実装されたメイン制御基板６３と、遊技に関連する演出の制御を行うサブＣＰＵ７１が実装されたサブ制御基板７３とが別々に設けられている。メイン制御基板６３のＲＡＭ６５はデータを一時的に記憶し、ＲＯＭ６７は予め設定されたデータ（後述の停止テーブルなど）を含むスロットマシン用プログラムを記憶する。メインＣＰＵ６１は、このスロットマシン用プログラムにしたがって動作することで、遊技に関する制御を行う。また、メインＣＰＵ６１は、遊技に関連するデータを演出制御データとしてサブＣＰＵ７１に送る。サブ制御基板７３のメモリ７５は、データを一時的に記憶するＲＡＭ部と演出用プログラムを記憶するＲＯＭ部とからなる。サブＣＰＵ７１は、メインＣＰＵ６１からの演出制御データに基づき、演出用プログラムにしたがって動作することで、遊技に関連する演出の制御を行う。例えば、サブＣＰＵ７１は、遊技の進行や乱数抽選の結果などに対応して予め設定された演出パターンに応じて、液晶表示器２７に動画を表示したり、スピーカ３１Ｌ，３１Ｒから音楽を発生させたり、上部ランプ部３３や下部ランプ部３７Ｌ，３７Ｒの光源を一斉にあるいは個別に点滅させる。
【００２９】
図５において、メイン制御基板６３の遊技制御手段１００は遊技を制御する。遊技には、一般的な遊技である通常遊技と、遊技者にとって通常遊技よりも有利な遊技である特別遊技（ボーナスゲーム）とがあり、遊技制御手段１００はこれらの遊技を制御する。
【００３０】
通常遊技について簡単に説明すると、このスロットマシン１では、投入センサ５１によりメダル投入口２５からのメダル投入が検出されるか、あるいは遊技者のベットスイッチ１５または最大ベットスイッチ１７に対する操作によりクレジットメダルの投入指示があると、ゲームが開始される。そして、ゲーム開始後にスタートスイッチ１９を遊技者が操作すると、まず、入賞役を決定するための乱数抽選が行われ、ほぼ同時に、３個すべてのリール１３Ｌ，１３Ｍ，１３Ｒの回転が開始する。その後に、３個のストップスイッチ２１Ｌ，２１Ｍ，２１Ｒのうちの１個に対して遊技者が停止操作を行うと、当該ストップスイッチ２１Ｌ，２１Ｍ，２１Ｒに対応したリール１３Ｌ，１３Ｍ，１３Ｒの回転が停止する。そして、３個すべてのストップスイッチ２１Ｌ，２１Ｍ，２１Ｒに対する停止操作が行われると、３個すべてのリール１３Ｌ，１３Ｍ，１３Ｒの回転が停止する。このとき、所定の図柄が表示枠１１内において、ベットのメダル枚数が１枚のときは予め定められた横３本、３枚のときはさらに予め定められた斜め２本を加えた計５本の有効ラインのいずれかに並んで停止すると入賞になり、ホッパーユニット４３により遊技者に対して所定枚数のメダルが払い出されるか、または遊技者に対してリプレイなどの所定の利益が付与される。なお、メダルの払い出しに代えて、クレジットメダルとして内部に貯留されることもある。
【００３１】
入賞役を決定するための乱数抽選の結果には、特定導入遊技当選（ビッグボーナス（ＢＢ）当選）と、特定遊技当選（レギュラーボーナス（ＲＢ）当選）と、小役当選と、再遊技当選（Replay当選）と、ハズレとがある。また、入賞には、特定導入遊技（ＢＢゲーム）への移行に係る特定導入遊技入賞（ＢＢ入賞）と、特定遊技（ＲＢゲーム）への移行に係る特定遊技入賞（ＲＢ入賞）と、所定枚数のメダルの払い出しに係る小役入賞と、再遊技（Replay）の実行に係る再遊技入賞（Replay入賞）とがある。
【００３２】
上記ＲＢゲームとは、特定入賞遊技（ＪＡＣゲーム）を複数回行い得ることにより、通常遊技よりも当選確率が高い遊技をいい、また、ＢＢゲームとは、ＲＢゲームの導入確率が高い遊技を言う。そして、所定の図柄（例えば図６では「７」または「クロス」）が有効ライン上に３個揃うと、ＢＢ入賞となり、払い出しがある場合にはメダルが払い出されて、通常遊技からＢＢゲームに移行する。また、所定の図柄（例えば図６では「ＢＡＲ」）が有効ライン上に３個揃うと、ＲＢ入賞となり、払い出しがある場合にはメダルが払い出されて、通常遊技からＲＢゲームに移行する。また、所定の図柄（例えば図６では「スイカ」や「ベル」）が有効ライン上に３個揃うか、あるいは、左リール１３Ｌの単独入賞図柄（例えば図６では「チェリー」）と中・右リール１３Ｍ，１３Ｒのいずれかの図柄が有効ライン上で停止すると、それぞれ小役入賞となり、それぞれ所定枚数のメダルが払い出される。また、例えば図６では「Replay」が有効ライン上に３個揃うと、Replay入賞となり、新たなメダルを投入することなく、前回の遊技と同じ条件で再度遊技を行うことができる。
【００３３】
なお、乱数抽選の結果がＢＢ当選になると、ＢＢ当選に基づいたリール１３Ｌ，１３Ｍ，１３Ｒの停止制御が行われるが、このとき、ＢＢ入賞が引き当てられないと、このＢＢ当選は、ＢＢ入賞が引き当てられるまで持ち越されることとなっている。ＲＢ当選についても同様である。ＢＢ当選またはＲＢ当選が持ち越された状態をそれぞれ「ＢＢ内部当り」、「ＲＢ内部当り」と称する。一方、小役当選は、乱数抽選の結果が小役当選となった遊技で小役入賞を引き当てられないと、次回の遊技には持ち越されないこととなっている。Replay当選についても同様である。
【００３４】
抽選手段１１０は入賞役を決定するための乱数抽選を行うもので、図５に示すように、乱数発生手段１１１、乱数抽出手段１１２、抽選テーブル１１３、及び抽選判定手段１１４を備えている。乱数発生手段１１１は、抽選用の乱数を、所定の範囲内（例えば、１０進数で０〜１６３８３）で発生させるものである。この乱数発生手段１１１は、例えば、発振回路と、この発振回路が発生させたクロック信号をカウントするカウンタ回路とによって構成することができる（いわゆるハード乱数）。なお、この乱数発生手段１１１は、例えば、平均採中法で乱数を発生させる手段や、あるいは素数の加算によって乱数を発生させる手段によって構成することもできる。これらの手段は、例えば、メインＣＰＵ６１に所定のプログラムを実行させることによって構成することができる（いわゆるソフト乱数）。また、ハード乱数とソフト乱数の双方を備え、それらの結果に基づき乱数をソフト的に生成するようにしてもよい。乱数抽出手段１１２は、乱数発生手段１１１が発生させた乱数を抽出するもので、乱数発生手段１１１が発生させた乱数を所定の条件（この実施形態では例えばスタートスイッチ１９の操作）で抽出する。なお、乱数発生手段１１１は、カウンタ回路などによって構成されるため、乱数発生手段１１１が発生させる数値は、厳密には乱数ではない。ただ、スタートスイッチ１９が操作されるタイミングは、ランダムであると考えられるため、乱数抽出手段１１２が抽出する数値は、実質的には乱数として取り扱うことができる。
【００３５】
抽選テーブル１１３は、乱数発生手段１１１が発生させる全範囲の乱数について、当選か否かをあらかじめ所定の割合で定めたものである。この抽選テーブル１１３は、乱数発生手段１１１が発生させる全範囲の乱数について、ＢＢ当選にするか、ＲＢ当選にするか、小役当選にするか、Replay当選にするか、あるいはハズレにするかを、あらかじめ所定の割合で定めている。抽選判定手段１１４は、乱数抽出手段１１２が抽出した乱数と、抽選テーブル１１３とを照合して、乱数抽選結果の判定を行うものである。この抽選判定手段１１４は、乱数抽出手段１１２が抽出した乱数と、抽選テーブル１１３とを照合して、乱数抽選の結果が、ＢＢ当選か、ＲＢ当選か、小役当選か、Replay当選か、あるいはハズレかを判定する。
【００３６】
位置判別手段１２０は、回転中の左・中・右リール１３Ｌ，１３Ｍ，１３Ｒの回転位置を判定するとともに、左・中・右リール１３Ｌ，１３Ｍ，１３Ｒが回転を停止したときの停止位置を判定するものである。駆動制御手段１２２は、モータ５７Ｌ，５７Ｍ，５７Ｒに駆動パルス信号を供給して左・中・右リール１３Ｌ，１３Ｍ，１３Ｒの回転を制御するものである。
【００３７】
モータ５７Ｌ，５７Ｍ，５７Ｒは、この実施形態では例えば、一回転が２５２ステップのステッピングモータで、定常回転時には、メインＣＰＵ６１のタイマ割込みごとに１相励磁と２相励磁とを切り換える１−２相励磁方式で駆動することで一定の回転速度を得ている。１−２相励磁方式であるので、タイマ割込みが２回で１ステップ進むこととなる。この実施形態では、タイマ割込み周期を約１．５ミリ秒としており、リールの一周に要する時間は、
１．５×２×２５２＝７５６ミリ秒
となり、その結果、回転速度は約７９．３７r／minとなる。
【００３８】
図２を参照して説明したように、各リールの周面はほぼ均等角度で回転方向に２１個のコマが形成され、各コマごとに図柄が表示されている。リールの一周が２５２ステップであるので、
２５２／２１＝１２
となり、各モータ５７Ｌ，５７Ｍ，５７Ｒに、１２ステップだけ回転する駆動パルス信号が供給されると、各リール１３Ｌ，１３Ｍ，１３Ｒは１コマ分だけ回転する。
【００３９】
したがって、例えば左リール１３Ｌの回転中において、左位置センサ５５Ｌから検出信号が出力された時点（コマ番号「２０」の図柄が表示枠１１の中段の中央に位置する）からカウントしてモータ５７Ｌに１２ステップだけ回転する駆動パルス信号が供給された時点では、コマ番号「１９」の図柄が表示枠１１の中段に位置することとなる。また、例えば左位置センサ５５Ｌから検出信号が出力された時点（コマ番号「２０」の図柄が表示枠１１の中段の中央に位置する）からカウントしてモータ５７Ｌに３６ステップだけ回転する駆動パルス信号が供給された時点で回転が停止したときは、コマ番号「１７」の図柄が表示枠１１の中段で停止することとなる。
【００４０】
このように、位置判別手段１２０は、左・中・右位置センサ５５Ｌ，５５Ｍ，５５Ｒからの検出信号と、モータ５７Ｌ，５７Ｍ，５７Ｒに供給する駆動パルス信号による回転ステップ数とに基づき、回転中の左・中・右リール１３Ｌ，１３Ｍ，１３Ｒの回転位置および左・中・右リール１３Ｌ，１３Ｍ，１３Ｒの停止位置を判定する。位置判別手段１２０は、リールの回転位置および停止位置をいずれも表示枠１１の中段の中央位置で管理している。このように、この実施形態では、表示枠１１の中段の中央位置が本発明の「基準位置」に相当する。
【００４１】
停止制御手段１２５は、抽選手段１１０の乱数抽選結果に基づき、停止テーブル１３０を用いて、リール１３Ｌ，１３Ｍ，１３Ｒの停止制御を行うものである。この停止テーブル１３０は、リールの停止位置を決定するためのものであって、ストップスイッチ２１Ｌ，２１Ｍ，２１Ｒの操作時のリール１３Ｌ，１３Ｍ，１３Ｒの回転位置に対応して、リール１３Ｌ，１３Ｍ，１３Ｒの滑りコマ数をあらかじめ定めたもので、左・中・右リール用停止テーブル１３１，１３２，１３３を備えている。なお、この実施形態におけるリール停止制御については後に詳述する。
【００４２】
入賞判定手段１４０は、所定の図柄が所定の位置に停止したときに入賞と判定するものである。具体的には、入賞判定手段１４０は、「７」または「クロス」が有効ライン上に３個揃うとＢＢ入賞と判定し、「ＢＡＲ」が有効ライン上に３個揃うとＲＢ入賞と判定する。また、入賞判定手段１４０は、「スイカ」または「ベル」が有効ライン上に３個揃うか、あるいは左リール１３Ｌの「チェリー」および中・右リール１３Ｍ，１３Ｒのいずれかの図柄が有効ライン上で停止すると、それぞれ小役入賞と判定する。また、入賞判定手段１４０は、「Replay」が有効ライン上に３個揃うとReplay入賞と判定する。払出制御手段１５０は、ホッパーユニット４３を制御して、入賞したときに入賞態様に応じた枚数のメダルを払い出すものである。また、払出制御手段１５０は、ホッパーユニット４３の制御に代えて、クレジットメダルを払出枚数だけ増加させるようにしてもよい。
【００４３】
次に、リール停止制御について詳述する。ここでは、抽選手段１１０における乱数抽選の結果が「ベル」の小役当選であり、ストップスイッチが左・中・右ストップスイッチ２１Ｌ，２１Ｍ，２１Ｒの順に停止操作された場合について説明する。図７は停止テーブルを用いたリール停止制御を説明する図、図８〜図１０は左・中・右リール用停止テーブル１３１，１３２，１３３を説明する図である。また、図１１は停止操作時の左リールの回転位置を示す模式図、図１２は左リールの停止位置を示す模式図である。
【００４４】
図７（Ａ）に示すように、スタートスイッチ１９の操作により回転を開始した左・中・右リール１３Ｌ，１３Ｍ，１３Ｒの回転中に、まず、左ストップスイッチ２１Ｌが操作されると、左リール１３Ｌの停止制御が行われる。ここで、スタートスイッチ１９の操作時に行われた抽選手段１１０の乱数抽選の結果が「ベル」の小役当選になっているので、入賞役「ベル」に対応する左リール用停止テーブル１３１、すなわち、「ベル」を有効ラインに引き込むように設定された左リール用停止テーブル１３１が用いられる。
【００４５】
例えば左ストップスイッチ２１Ｌの操作時の左リール１３Ｌの回転位置が図７（Ｂ）に示すような状態であるとする。このとき、図７（Ｃ）に示すように「ベル」を表示枠１１の上段に停止させるときは３コマだけ進ませ、図７（Ｄ）に示すように「ベル」を表示枠１１の中段に停止させるときは４コマだけ進ませ、図７（Ｅ）に示すように「ベル」を表示枠１１の下段に停止させるときは５コマだけ進ませる。このようなストップスイッチ操作時からリール停止までにリールを進ませるコマ数を、図８〜図１０に示すように滑りコマ数として左・中・右リール用停止テーブル１３１，１３２，１３３に設定している。例えば滑りコマ数が「０」であれば、直ちにリール１３Ｌ，１３Ｍ，１３Ｒの回転を停止させる。すなわち、滑りコマ数が「０」のときは、ストップスイッチ２１Ｌ，２１Ｍ，２１Ｒが操作されたときに表示枠１１の上段に表示されていた図柄は、そのまま表示枠１１の上段に停止表示される。また、例えば滑りコマ数が「１」のときは、１コマ分だけリール１３Ｌ，１３Ｍ，１３Ｒを回転させて停止させる。すなわち、滑りコマ数が「１」のときは、ストップスイッチ２１Ｌ，２１Ｍ，２１Ｒが操作されたときに表示枠１１の上段に表示されていた図柄は、リール１３Ｌ，１３Ｍ，１３Ｒの回転方向に１コマずれて、表示枠１１の中段に停止表示される。
【００４６】
停止テーブル１３０は、乱数抽選の各結果に対応して備えられている。すなわち、ＢＢ当選、ＲＢ当選、各小役当選、Replay当選、ハズレのそれぞれに対応して備えられている。例えば「ベル」の小役当選で左ストップスイッチ２１Ｌが最初に操作された場合に対応して、図８〜図１０に示す左リール用停止テーブル１３１が１つだけ備えられている。そして、停止制御手段１２５は、まず乱数抽選結果に対応する停止テーブル１３０を選択する。次いで、ストップスイッチ２１Ｌ，２１Ｍ，２１Ｒの操作時のリール１３Ｌ，１３Ｍ，１３Ｒの回転位置を位置判別手段１２０で判別する。そして、その回転位置に対応して設定された滑りコマ数を、選択した停止テーブル１３０から停止制御手段１２５が抽出する。
【００４７】
ここで、滑りコマ数は、図８〜図１０に示すように、各コマの図柄に対して複数（この実施形態では例えば３個）ずつ設定されている。上述したように、リール１３Ｌ，１３Ｍ，１３Ｒの周面は、ほぼ均等角度で回転方向に２１個に分割した表示領域からなるコマが形成され、各コマごとに図柄が表示されている。これらの各コマがほぼ均等角度で回転方向に３個に分割されて分割領域が形成されている。すなわち、各コマの中心角は、
３６０°／２１≒１７．１°
であり、分割領域の中心角θは、
θ＝３６０°／（２１×３）≒５．７°
である。上述したように、１コマ分の回転はモータ５７Ｌ，５７Ｍ，５７Ｒの１２ステップに相当するので、分割領域１個分の回転は４ステップに相当する。
【００４８】
そして、左・中・右リール用停止テーブル１３１，１３２，１３３では、この分割領域ごとに滑りコマ数が設定されている。すなわち、例えば左ストップスイッチ２１Ｌの操作時に、表示枠１１の中段の中央位置（以下、「基準位置」という）に位置する分割領域およびその分割領域を含むコマのコマ番号を位置判別手段１２０が判別し、その分割領域に対して設定されている滑りコマ数を左リール用停止テーブル１３１から停止制御手段１２５が抽出する。左ストップスイッチ２１Ｌの操作時に基準位置（図中、一点鎖線）に位置する分割領域が、例えば図１１に示すように、コマ番号「４」のコマに含まれる分割領域Ｋ４３の場合には、図８から分かるように滑りコマ数「２」が抽出される。そして、コマ番号「４」から２コマ分だけ進んで、図１２に示すように、コマ番号「２」のコマが基準位置に位置する時点で左リール１３Ｌが停止する。
【００４９】
したがって、図８〜図１０において、左ストップスイッチ２１Ｌの操作時に基準位置に位置する分割領域に対して設定された左リール用停止テーブル１３１の滑りコマ数だけ進むので、左リール１３Ｌの停止位置、すなわち左リール１３Ｌの停止時に表示枠１１の中段に位置するコマのコマ番号は、図８〜図１０の「左リール」の各「滑りコマ数」に対応して設けられた「停止位置」の欄に示すコマ番号になる。例えば左ストップスイッチ２１Ｌの操作時にコマ番号「０」のコマのうち分割領域Ｋ０３が基準位置に位置するときは、滑りコマ数「１」だけ進むので、左リール１３Ｌの停止時に表示枠１１の中段に位置するコマ（図柄）のコマ番号は「２０」になる。
【００５０】
その結果、各コマ番号のコマ（図柄）が表示枠１１の中段で停止する頻度は、図８〜図１０の「左リール」の「停止頻度」の欄に示す回数になる。例えばコマ番号「０」の図柄が表示枠１１の中段で停止する頻度は「０」回であり、コマ番号「２」の図柄が表示枠１１の中段で停止する頻度は「５」回である。図８〜図１０において、コマ番号「２」の図柄が表示枠１１の中段で停止するということは、コマ番号「３」の「ベル」が表示枠１１の下段で停止するということを意味する。したがって、図８〜図１０の左リール用停止テーブル１３１では、「ベル」が表示枠１１の上段・中段・下段で停止する頻度は、それぞれ、コマ番号「３」が４回・６回・５回であり、コマ番号「８」が５回・５回・５回であり、コマ番号「１３」が６回・５回・５回であり、コマ番号「１９」が５回・６回・６回であり、他の図柄が表示枠１１の上段・中段・下段で停止することはない。すなわち図８〜図１０の左リール用停止テーブル１３１では、「ベル」が表示枠１１の上段・中段・下段のいずれかに必ず停止するようになっている。
【００５１】
同様にして、中ストップスイッチ２１Ｍの操作時に基準位置に位置する分割領域に対して設定された中リール用停止テーブル１３２の滑りコマ数だけ進むので、中リール１３Ｍの停止位置、すなわち中リール１３Ｍの停止時に表示枠１１の中段に位置するコマのコマ番号は、図８〜図１０の「中リール」の各「滑りコマ数」に対応して設けられた「停止位置」の欄に示すコマ番号になる。例えば中ストップスイッチ２１Ｍの操作時にコマ番号「０」のコマのうち分割領域Ｋ０３が基準位置に位置するときは、滑りコマ数「３」だけ進むので、中リール１３Ｍの停止時に表示枠１１の中段に位置するコマ（図柄）のコマ番号は「１８」になる。
【００５２】
その結果、各コマ番号の図柄が表示枠１１の中段で停止する頻度は、図８〜図１０の「中リール」の「停止頻度」の欄に示す回数になる。例えばコマ番号「０」の図柄が表示枠１１の中段で停止する頻度は「０」回であり、コマ番号「２」の図柄が表示枠１１の中段で停止する頻度は「３」回である。図８〜図１０の「中リール」において、コマ番号「２」の図柄が表示枠１１の中段で停止するということは、コマ番号「１」の「ベル」が表示枠１１の上段に、かつコマ番号「３」の「ベル」が表示枠１１の下段に停止するということを意味する。したがって、図８〜図１０の中リール用停止テーブル１３２では、「ベル」が表示枠１１の上段・中段で停止する頻度は、それぞれ、コマ番号「１」が３回・４回であり、コマ番号「３」が７回・６回であり、コマ番号「８」が８回・８回であり、コマ番号「１３」が７回・８回であり、コマ番号「１８」が６回・６回である。また、コマ番号「３」の「ベル」が表示枠１１の下段で停止する頻度は３回である。なお、コマ番号「３」の「ベル」が表示枠１１の下段で停止するときは、コマ番号「１」の「ベル」が表示枠１１の上段に停止している。すなわち図８〜図１０の中リール用停止テーブル１３２では、「ベル」が表示枠１１の上段・中段のいずれかに必ず停止するようになっている。
【００５３】
同様にして、右ストップスイッチ２１Ｒの操作時に基準位置に位置する分割領域に対して設定された右リール用停止テーブル１３３の滑りコマ数だけ進むので、右リール１３Ｒの停止位置、すなわち右リール１３Ｒの停止時に表示枠１１の中段に位置する図柄のコマ番号は、図８の「右リール」の各「滑りコマ数」に対応して設けられた「停止位置」の欄に示すコマ番号になる。例えば右ストップスイッチ２１Ｒの操作時にコマ番号「０」のコマのうち分割領域Ｋ０３が基準位置に位置するときは、滑りコマ数が「０」であるので、右リール１３Ｒの停止時に表示枠１１の中段に位置するコマ（図柄）のコマ番号は「０」になる。
【００５４】
その結果、各コマ番号の図柄が表示枠１１の中段で停止する頻度は、図８〜図１０の「右リール」の「停止頻度」の欄に示す回数になる。例えばコマ番号「０」の図柄が表示枠１１の中段で停止する頻度は「１５」回であり、コマ番号「２」の図柄が表示枠１１の中段で停止する頻度は「０」回である。図８〜図１０の「右リール」において、コマ番号「０」の図柄が表示枠１１の中段で停止するということは、コマ番号「１」の「ベル」が表示枠１１の下段に停止するということを意味する。したがって、図８〜図１０の右リール用停止テーブル１３３では、コマ番号「１」、「６」、「１４」の「ベル」が表示枠１１の下段で停止する頻度は、いずれも１５回であり、コマ番号「１１」、「１９」の「ベル」が表示枠１１の下段で停止する頻度は、いずれも９回であることが分かる。すなわち図８〜図１０の右リール用停止テーブル１３３では、「ベル」が表示枠１１の下段に必ず停止するようになっている。このように、この実施形態では、位置判別手段１２０、駆動制御手段１２２および停止制御手段１２５が、本発明の「制御手段」を構成し、左・中・右リール１３Ｌ，１３Ｍ，１３Ｒのいずれもが、本発明の「特定リール」に相当する。
【００５５】
図１３はリール停止制御手順のフローチャート、図１４は図１３の手順に従って「ベル」が有効ラインに揃う手順を説明する図である。なお、図１３では抽選手段１１０における乱数抽選の結果が「ベル」の小役当選であり、ストップスイッチが左・中・右ストップスイッチ２１Ｌ，２１Ｍ，２１Ｒの順に停止操作された場合について説明し、中・右ストップスイッチ２１Ｍ，２１Ｒが最初に操作された場合については省略する。
【００５６】
図１３において、左・中・右リール１３Ｌ，１３Ｍ，１３Ｒの回転中に、まず、左ストップスイッチ２１Ｌが操作されると（＃１０）、その停止操作時の左リール１３Ｌの回転位置と図８〜図１０に示す左リール用停止テーブル１３１の滑りコマ数とを用いて、左リール１３Ｌの停止位置が決定され（＃１１）、その「ベル」の停止位置が判定される（＃１２）。ここでは図８〜図１０で説明したように「ベル」が表示枠１１の上段・中段・下段のいずれかに停止するので、図１４（Ａ）に示すように、「ベル」の停止位置は上段・中段・下段の３つの場合に分けられる。
【００５７】
「ベル」の停止位置が上段の場合には、中リール用停止テーブル１３２として「ベル」が上段・中段のいずれかに停止するように設定された上・中テーブルが選択される（＃１３）。図８〜図１０に示した中リール用停止テーブル１３２は、この「上・中テーブル」の一例である。そして、中ストップスイッチ２１Ｍが操作されると（＃１４）、その停止操作時の中リール１３Ｍの回転位置と、ステップ＃１３で選択された上・中テーブルの滑りコマ数とを用いて、中リール１３Ｍの停止位置が決定され（＃１５）、その「ベル」の停止位置が判定される（＃１６）。ここでは図８〜図１０で説明したように「ベル」が表示枠１１の上段・中段のいずれかに停止するので、図１４（Ｂ）に示すように、「ベル」の停止位置は上段・中段の２つの場合に分けられる。
【００５８】
「ベル」の停止位置が上段の場合には、右リール用停止テーブル１３３として、「ベル」が上段に停止するように設定された上テーブルが選択される一方（＃１７）、「ベル」の停止位置が中段の場合には、「ベル」が下段に停止するように設定された下テーブルが選択される（＃１８）。図８〜図１０に示した右リール用停止テーブル１３３は、この「下テーブル」の一例である。そして、右ストップスイッチ２１Ｒが操作されると（＃１９）、その停止操作時の右リール１３Ｒの回転位置と、ステップ＃１７で選択された上テーブルまたはステップ＃１８で選択された下テーブルの滑りコマ数とを用いて、右リール１３Ｒの停止位置が決定される（＃２０）。そして、ステップ＃１７で上テーブルが選択された場合には図１４（Ｃ）に示すように「ベル」が上段の有効ライン上に揃い、ステップ＃１８で下テーブルが選択された場合には図１４（Ｄ）に示すように「ベル」が斜め右下がりの有効ライン上に揃う。
【００５９】
一方、ステップ＃１２において、「ベル」の停止位置が中段の場合には、中リール用停止テーブル１３２として、「ベル」が中段に停止するように設定された中テーブルが選択される（＃２１）。そして、中ストップスイッチ２１Ｍが操作されると（＃２２）、その停止操作時の中リール１３Ｍの回転位置と、ステップ＃２１で選択された中テーブルの滑りコマ数とを用いて、中リール１３Ｍの停止位置が決定される（＃２３）。ここでは図１４（Ｅ）に示すように「ベル」が中段に停止する。次いで、右リール用停止テーブル１３３として、「ベル」が中段に停止するように設定された中テーブルが選択される（＃２４）。そして、右ストップスイッチ２１Ｒが操作されると（＃２５）、その停止操作時の右リール１３Ｒの回転位置と、ステップ＃２４で選択された中テーブルの滑りコマ数とを用いて、右リール１３Ｒの停止位置が決定される（＃２６）。そして、図１４（Ｆ）に示すように「ベル」が中段の有効ライン上に揃う。
【００６０】
また、ステップ＃１２において、「ベル」の停止位置が下段の場合には、中リール用停止テーブル１３２として、「ベル」が中段または下段に停止するように設定された中・下テーブルが選択される（＃２７）。そして、中ストップスイッチ２１Ｍが操作されると（＃２８）、その停止操作時の中リール１３Ｍの回転位置と、ステップ＃２７で選択された中・下テーブルの滑りコマ数とを用いて、中リール１３Ｍの停止位置が決定され（＃２９）、その「ベル」の停止位置が判定される（＃３０）。ここでは、図１４（Ｇ）に示すように、「ベル」の停止位置が、中段・下段の２つの場合に分けられる。
【００６１】
「ベル」の停止位置が中段の場合には、右リール用停止テーブル１３３として、「ベル」が上段に停止するように設定された上テーブルが選択される一方（＃３１）、「ベル」の停止位置が下段の場合には、「ベル」が下段に停止するように設定された下テーブルが選択される（＃３２）。そして、右ストップスイッチ２１Ｒが操作されると（＃３３）、その停止操作時の右リール１３Ｒの回転位置と、ステップ＃３１で選択された上テーブルまたはステップ＃３２で選択された下テーブルの滑りコマ数とを用いて、右リール１３Ｒの停止位置が決定される（＃３４）。そして、ステップ＃３１で上テーブルが選択された場合には、図１４（Ｈ）に示すように「ベル」が斜め右上がりの有効ライン上に揃い、ステップ＃３２で下テーブルが選択された場合には、図１４（Ｉ）に示すように「ベル」が下段の有効ライン上に揃う。
【００６２】
このように、この実施形態では、それぞれ周面をほぼ均等角度で回転方向に２１個に分割した表示領域からなるコマが形成され、各コマごとに図柄が表示されたリール１３Ｌ，１３Ｍ，１３Ｒにおいて、各コマをほぼ均等角度で回転方向に３個に分割して形成される分割領域に対してそれぞれ滑りコマ数を設定することにより、各コマごとに複数ずつ滑りコマ数を設定しているため、特に停止操作のタイミングを計る技量に長けた熟練者にとって、所望の分割領域が基準位置に位置したときにストップスイッチ２１Ｌ，２１Ｍ，２１Ｒの停止操作を行うことができ、技術介入度が向上して技量発揮の余地を増大することができる。また、この実施形態では、抽選手段１１０における乱数抽選の結果が「ベル」の小役当選で左ストップスイッチ２１Ｌが最初に操作された場合に、左リール用停止テーブル１３１として、「ベル」が表示枠１１の上段・中段・下段に停止するように設定された１個の停止テーブルしか備えていないため、全リール停止時に表示される図柄の組合せパターンの種類の低下が避けられないが、各コマを３個の分割領域に分割し、各分割領域に対して滑りコマ数をそれぞれ設定しているため、上記組合せパターンの種類低下を可能な限り抑制することができる。これによって遊技に対する興趣を増すことが可能になる。
【００６３】
また、この実施形態では、抽選手段１１０における乱数抽選の結果が「ベル」の小役当選であり、左ストップスイッチ２１Ｌが最初に操作された場合に、左リール用停止テーブル１３１は、「ベル」が表示枠１１の上段・中段・下段に停止するように設定された１つの停止テーブルだけが備えられている。したがって、左ストップスイッチ２１Ｌの操作時の左リール１３Ｌの回転位置と、その左リール用停止テーブル１３１の滑りコマ数とから左リール１３Ｌの停止位置は一義的に決まる。
【００６４】
また、中ストップスイッチ２１Ｍが左ストップスイッチ２１Ｌに続いて２番目に操作された場合に、中リール用停止テーブル１３２は、「ベル」が表示枠１１の上段・中段に停止するように設定された上・中テーブルと、「ベル」が表示枠１１の中段に停止するように設定された中テーブルと、「ベル」が表示枠１１の中段・下段に停止するように設定された下・中テーブルの３つの停止テーブルが備えられている。そして、左リール１３Ｌの停止位置に基づき使用する停止テーブルが決定される。したがって、左リール１３Ｌの停止位置と、中ストップスイッチ２１Ｍの操作時の中リール１３Ｍの回転位置と、使用する中リール用停止テーブル１３２の滑りコマ数とから、中リール１３Ｍの停止位置は一義的に決まる。
【００６５】
さらに続けて、右ストップスイッチ２１Ｒが３番目に操作された場合に、右リール用停止テーブル１３３は、「ベル」が表示枠１１の上段に停止するように設定された上テーブルと、「ベル」が表示枠１１の中段に停止するように設定された中テーブルと、「ベル」が表示枠１１の下段に停止するように設定された下テーブルの３つの停止テーブルが備えられている。そして、左リール１３Ｌの停止位置と中リール１３Ｍの停止位置とに基づき使用する停止テーブルが決定される。したがって、左リール１３Ｌの停止位置と、中リール１３Ｍの停止位置と、右ストップスイッチ２１Ｒの操作時の右リール１３Ｒの回転位置と、使用する右リール用停止テーブル１３３の滑りコマ数とから、右リール１３Ｒの停止位置は一義的に決まる。
【００６６】
すなわち、この実施形態では、抽選手段１１０による入賞役を決定するための乱数抽選が行われた後の停止制御手段１２５によるリール停止制御では、各ストップスイッチ２１Ｌ，２１Ｍ，２１Ｒの停止操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素はない。このため、適正なタイミングでストップスイッチを操作すれば、乱数抽選の結果が当選の場合には、入賞となる停止位置にリールを確実に停止させることができる。したがって、遊技の公正を確保することができる。
【００６７】
この実施形態において、図５の機能ブロック図に示すメイン制御基板６３の各機能は、メインＣＰＵ６１がＲＯＭ６７に格納されているスロットマシン用プログラムを実行することにより、実現することができる。すなわち、この実施形態では、メインＣＰＵ６１がコンピュータに対応し、ＲＯＭ６７がスロットマシン用プログラムを記録したコンピュータ読み取り可能な記録媒体に対応する。この場合において、上記実施形態ではＲＯＭ６７をメイン制御基板６３に実装されたメモリで構成しているが、これに限られず、ＤＶＤ−ＲＯＭ、ＣＤ−ＲＯＭ、ＭＯ、リムーバブルハードディスク、フラッシュメモリや強誘電体メモリなど、スロットマシン１に着脱可能な記録媒体で構成してもよい。
【００６８】
なお、本発明は上記実施形態に限定されるものではなく、その趣旨を逸脱しない限りにおいて上述したもの以外に種々の変更を行うことが可能である。例えば、上記実施形態ではメイン制御基板６３およびサブ制御基板７３の別々の制御基板を備え、それぞれＣＰＵおよびメモリを備える構成となっているが、本発明はこれに限られず、１つの制御基板を備え、１つのＣＰＵおよび１つのメモリで構成してもよい。また、上記実施形態では３リールのスロットマシンとしているが、本発明はこれに限られず、４リール以上のリールを備えたスロットマシンでもよい。また、上記実施形態では有効ラインを５本としているが、本発明はこれに限られない。
【００６９】
また、例えば上記実施形態では左・中・右ストップスイッチ２１Ｌ，２１Ｍ，２１Ｒの順に操作された場合の各リール用停止テーブル１３１，１３２，１３３について説明しているが、これに限られない。例えば、各ストップスイッチ２１Ｌ，２１Ｍ，２１Ｒの操作順ごとに各リール用停止テーブル１３１，１３２，１３３を設定しておいてもよい。すなわち、例えば「ベル」の小役当選で中・左・右ストップスイッチ２１Ｍ，２１Ｌ，２１Ｒの順で操作された場合は、中リール用停止テーブル１３２を１つだけ備えておき、中ストップスイッチ２１Ｍの操作時の中リール１３Ｍの回転位置と当該１つの中リール用停止テーブル１３２の滑りコマ数とから中リール１３Ｍの停止位置を決定する。次いで、中リール１３Ｍの停止位置から、使用する左リール用停止テーブル１３１を決定し、左ストップスイッチ２１Ｌの操作時の左リール１３Ｌの回転位置と当該決定した左リール用停止テーブル１３１の滑りコマ数とから左リール１３Ｌの停止位置を決定する。次いで、中リール１３Ｍの停止位置と左リール１３Ｌの停止位置とから、使用する右リール用停止テーブル１３３を決定し、右ストップスイッチ２１Ｒの操作時の右リール１３Ｒの回転位置と当該決定した右リール用停止テーブル１３３の滑りコマ数とから右リール１３Ｒの停止位置を決定する。この形態によっても、分割領域ごとに滑りコマ数を設定することで、上記実施形態と同様の効果が得られる。
【００７０】
また、上記実施形態では、抽選手段１１０による入賞役を決定するための乱数抽選が行われた後の停止制御手段１２５によるリール停止制御では、抽選手段１１０の乱数抽選の結果にかかわらず（すなわち乱数抽選の結果がハズレだった場合にも）、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素はないが、これに代えて、抽選手段１１０の乱数抽選の結果がハズレだった場合を除いて、上記関係に確率的要素がないようにしてもよい。この形態でも、適正なタイミングでストップスイッチを操作すれば、乱数抽選の結果が当選の場合には、入賞となる停止位置にリールを確実に停止させることができる。したがって、従来のような不自然な事態が生じるのを未然に防止することができ、遊技の公正を確保することができる。なお、乱数抽選の結果がハズレだった場合には元々遊技者に対する利益（例えばメダル払い出しなど）の付与がないため、抽選手段１１０の乱数抽選の結果がハズレだった場合に、各ストップスイッチ２１Ｌ，２１Ｍ，２１Ｒの操作時の各リール１３Ｌ，１３Ｍ，１３Ｒの回転位置と、各ストップスイッチ２１Ｌ，２１Ｍ，２１Ｒの操作後の各リール１３Ｌ，１３Ｍ，１３Ｒの停止位置との関係に確率的要素が存在しても、遊技の公正確保には何ら問題がない。
【００７１】
また、上記実施形態では、各コマをリールの回転方向に３個に分割して分割領域を形成しているが、分割個数はこれに限られず、例えば２ないし５のいずれかの数であってもよい。例えば上記実施形態のようにリールの定常回転速度が毎分８０回転未満であってリールの一周に２１個のコマが形成されている場合において、例えばリールの直径が約２１７ｍｍ程度である場合には、分割個数が５個であれば、周速とコマサイズ（図柄間隔）との関係から、リール上の図柄を見極める技量に優れた熟練者が個々の分割領域を互いに識別することができることから、熟練者にとって技術介入度が高くなり、遊技に対する興趣を増すことが可能になる。
【００７２】
また、上記実施形態では、位置判別手段１２０は、左・中・右位置センサ５５Ｌ，５５Ｍ，５５Ｒからの検出信号と、モータ５７Ｌ，５７Ｍ，５７Ｒに供給する駆動パルス信号による回転ステップ数とに基づき、回転中の左・中・右リール１３Ｌ，１３Ｍ，１３Ｒの図柄の回転位置および左・中・右リール１３Ｌ，１３Ｍ，１３Ｒの図柄の停止位置を判定しているが、リールの回転位置または停止位置の判別はこれに限られない。例えば各リール１３Ｌ，１３Ｍ，１３Ｒに複数のスリットまたは凸部などの被検出部を設けてロータリエンコーダ方式を採用し、左・中・右位置センサ５５Ｌ，５５Ｍ，５５Ｒが該被検出部を検出することにより各リール１３Ｌ，１３Ｍ，１３Ｒの回転角度を検出し、その検出結果に基づき位置判別手段１２０が停止操作時における基準位置に位置するコマおよび分割領域を判別するようにしてもよい。この形態では、左・中・右位置センサ５５Ｌ，５５Ｍ，５５Ｒが本発明の「角度検出部」に相当し、位置判別手段１２０が本発明の「基準判別部」に相当する。なお、この形態では、モータ５７Ｌ，５７Ｍ，５７Ｒはステッピングモータに限られない。
【００７３】
また、上記実施形態では、全ての停止テーブル、すなわち左・中・右リール用停止テーブル１３１，１３２，１３３について、コマを複数に分割して形成した分割領域ごとに滑りコマ数を設定しており、全リール１３Ｌ，１３Ｍ，１３Ｒが本発明の「特定リール」に相当しているが、これに限られず、特定リールは１個または２個のリールでもよい。すなわち、特定リール用停止テーブルについてのみ分割領域ごとに滑りコマ数を設定し、他のリールについてはコマごと、すなわち図柄ごとに１個の滑りコマ数を設定するようにしてもよい。この場合、特に特定リールとして左リール１３Ｌを採用することが好ましい。すなわち左リール用停止テーブル１３１について、コマを複数に分割して形成した分割領域ごとに滑りコマ数を設定することが好ましい。一般に、遊技者は左ストップスイッチ２１Ｌを最初に操作することが多いため、多くの場合は最初の停止制御として、分割領域ごとに滑りコマ数が設定された停止テーブルが用いられることとなるため、２番目以降に停止するリールの停止制御に用いられる場合に比べて全リールの停止時に表示される図柄の組合せのパターンの種類を増大することができる。
【００７４】
また、上記実施形態では、スタートスイッチ１９の操作で乱数抽選が行われた後、左ストップスイッチ２１Ｌが操作されると、１つだけ備えられた左リール用停止テーブル１３１が用いられてリール停止制御が行われるため、左ストップスイッチ２１Ｌの操作時の左リール１３Ｌの回転位置と、左ストップスイッチ２１Ｌの停止操作後の左リール１３Ｌの停止位置との関係に、確率的要素がないようにしているが、これに限られない。例えば分割領域ごとに滑りコマ数が設定された左リール用停止テーブル１３１を３個備えておき、スタートスイッチ１９の操作で乱数抽選が行われた後、左ストップスイッチ２１Ｌが操作されると、その３個備えられた左リール用停止テーブル１３１のうちから例えば１／３の確率で選択された停止テーブルを用いてリール停止制御を行うようにしてもよい。この場合、３個の左リール用停止テーブル１３１として、例えば「ベル」が上段・中段・下段に停止するようにそれぞれ設定された３個の停止テーブルを備えればよい。この形態では、上記実施形態に対して遊技の公正確保は困難になるものの、熟練者による技量発揮の余地増大および停止図柄の組合せパターンの種類増大という効果を得ることができる。
【００７５】
また、上記実施形態では、停止テーブルを用いてリール停止制御を行う例について説明しているが、本発明はこれに限られず、各コマを複数に分割した分割領域ごとに滑りコマ数を設定したプログラムによりリール停止制御を行うようにしてもよい。この場合でも、上記実施形態と全く同様の効果を得ることができる。
【図面の簡単な説明】
【００７６】
【図１】本発明に係るスロットマシンの一実施形態の外観を示す斜視図である。
【図２】リールの図柄配列の一例を示す図である。
【図３】リールの図柄のコマ番号の配列と回転方向を示す図である。
【図４】スロットマシンの電気的構成を示すブロック図である。
【図５】メイン制御基板の機能を示す機能ブロック図である。
【図６】乱数抽選の結果を説明する図である。
【図７】停止テーブルを用いたリール停止制御を説明する図である。
【図８】左・中・右リール用停止テーブルを説明する図である。
【図９】左・中・右リール用停止テーブルを説明する図である。
【図１０】左・中・右リール用停止テーブルを説明する図である。
【図１１】停止操作時の左リールの回転位置を示す模式図である。
【図１２】左リールの停止位置を示す模式図である。
【図１３】リール停止制御手順のフローチャートである。
【図１４】図１３の手順に従って「ベル」が有効ラインに揃う手順を説明する図である。
【符号の説明】
【００７７】
１１…表示枠、１３Ｌ，１３Ｍ，１３Ｒ…左・中・右リール、１９…スタートスイッチ、２１Ｌ，２１Ｍ，２１Ｒ…左・中・右ストップスイッチ、５５Ｌ，５５Ｍ，５５Ｒ…左・中・右位置センサ（角度検出部）、５７Ｌ，５７Ｍ，５７Ｒ…モータ、６１…メインＣＰＵ、６３…メイン制御基板、６７…ＲＯＭ、１１０…抽選手段、１２０…位置判別手段（制御手段、基準判別部）、１２２…駆動制御手段（制御手段）、１２５…停止制御手段（制御手段）、１３０…停止テーブル、１３１，１３２，１３３…左・中・右リール用停止テーブル（停止テーブル）、Ｋ０１，Ｋ０２，…，Ｋ２０２，Ｋ２０３…分割領域
【図１】
2006141713.tif 000003
【図２】
2006141713.tif 000004
【図３】
2006141713.tif 000005
【図４】
2006141713.tif 000006
【図５】
2006141713.tif 000007
【図６】
2006141713.tif 000008
【図７】
2006141713.tif 000009
【図８】
2006141713.tif 000010
【図９】
2006141713.tif 000011
【図１０】
2006141713.tif 000012
【図１１】
2006141713.tif 000013
【図１２】
2006141713.tif 000014
【図１３】
2006141713.tif 000015
【図１４】
2006141713.tif 000016